【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
複数のレンズ群の少なくとも一部を沈胴させて当該複数のレンズ群を収納する沈胴状態から前記複数のレンズ群の少なくとも一部を対物側に移動することにより撮像が可能な撮影状態とするレンズ鏡胴であって、
撮像光路を開閉するシャッタ機構を有するシャッタ装置と、
前記複数のレンズ群を構成するレンズおよびレンズ群の少なくともいずれかを保持する少なくとも１つのレンズ保持枠と、
前記シャッタ装置の外形よりも内側の領域に設置されて、前記レンズ保持枠の１つである第１のレンズ保持枠を案内するためのガイド部材と、を備え、且つ
前記シャッタ装置が、前記ガイド部材を挿通可能に形成された第１の逃げ開口部を有し、
光軸とほぼ垂直な面で前記光軸を中心として回転可能に設けられ、前記シャッタ装置の前記第１の逃げ開口部を遮光可能な遮光部材を具備することを特徴とするレンズ鏡胴。
【請求項２】
前記遮光部材が、第２の逃げ開口部を備えることを特徴とする請求項１に記載のレンズ鏡胴。
【請求項３】
前記シャッタ装置の対物側に近接して配置される第２のレンズ保持枠に、前記ガイド部材を挿通可能に形成された第３の逃げ開口部を有してなることを特徴とする請求項１または請求項２に記載のレンズ鏡胴。
【請求項４】
前記遮光部材は、前記撮影状態においては前記シャッタ装置の前記第１の逃げ開口部を遮蔽し、前記撮影状態から前記沈胴状態へ移行する際に回転して、前記シャッタ装置の前記第１の逃げ開口部を開放することを特徴とする請求項１〜請求項３のいずれか１項に記載のレンズ鏡胴。
【請求項５】
前記沈胴状態においては、前記第２の逃げ開口部は、前記第１の逃げ開口部に対応して位置し、
前記ガイド軸は、前記第１の逃げ開口部および前記第２の逃げ開口部に入り込むことを特徴とする請求項２〜請求項４のいずれか１項に記載のレンズ鏡胴。
【請求項６】
前記沈胴状態においては、前記第２の逃げ開口部は、前記第１の逃げ開口部および前記第３の逃げ開口部に対応して位置し、
前記ガイド軸は、前記第１の逃げ開口部、前記第２の逃げ開口部および前記第３の逃げ開口部に入り込むことを特徴とする請求項３〜請求項５のいずれか１項に記載のレンズ鏡胴。
【請求項７】
前記遮光部材は、平板状の遮光部を含み、
前記シャッタ装置は、前記遮光部材の前記遮光部と係合する係合部を備え、
前記シャッタ装置と前記遮光部材とが、前記光軸方向について一体的に移動することを特徴とする請求項１〜請求項６のいずれか１項に記載のレンズ鏡胴。
【請求項８】
前記遮光部材は、前記レンズ保持枠を移動させるためのカムを有するカム枠によって回転させられることを特徴とする請求項１〜請求項７のいずれか１項に記載のレンズ鏡胴。
【請求項９】
前記遮光部材は、前記シャッタ装置と前記遮光部材の間にフリクションを呈すべく少なくとも一部が弾性的に形成されることを特徴とする請求項１〜請求項８のいずれか１項に記載のレンズ鏡胴。
【請求項１０】
前記シャッタ装置は、前記撮像光路の光束を制限する絞り機構を含むことを特徴とする請求項１〜請求項９のいずれか１項に記載のレンズ鏡胴。
【請求項１１】
撮像用光学系として、請求項１〜請求項１０のいずれか１項に記載のレンズ鏡胴を含むことを特徴とする撮像装置。
【手続補正２】
【補正対象書類名】明細書
【補正対象項目名】０００８
【補正方法】変更
【補正の内容】
【０００８】
本発明は、上述した事情に鑑みてなされたもので、狭い部位に組み込むことが可能で、耐久性にも優れた遮光構成を達成し、有害な光が撮像素子に到達するのを効果的に防止し得るレンズ鏡胴および撮像装置を提供することを目的としている。
すなわち、本発明の請求項１の目的は、多くの占有空間を必要とすることなく、簡単な構成で、有害な光が撮像素子に到達するのを効果的に防止し得て、耐久性にも優れた遮光構成を達成することを可能とするレンズ鏡胴を提供することにある。
本発明の請求項２の目的は、特に、シャッタ装置に形成された第１の逃げ開口部の開閉を効果的にしかも容易に達成し得るレンズ鏡胴を提供することにある。
本発明の請求項３の目的は、特に、シャッタ装置に近接して配置されているレンズ保持枠が存在する場合にも効果的な遮光構成を達成することを可能とするレンズ鏡胴を提供することにある。
本発明の請求項４の目的は、特に、第１の逃げ開口部の開閉を効果的にしかも容易に達成し得るレンズ鏡胴を提供することにある。
本発明の請求項５の目的は、特に、第１の逃げ開口部および第２の逃げ開口部の効果的な遮光構成を達成することを可能とするレンズ鏡胴を提供することにある。
本発明の請求項６の目的は、特に、第１の逃げ開口部、第２の逃げ開口部および第３の逃げ開口部の効果的な遮光構成を達成することを可能とするレンズ鏡胴を提供することにある。
本発明の請求項７の目的は、シャッタ装置に対する遮光部材の回動および移動を可能とするレンズ鏡胴を提供することにある。
【手続補正３】
【補正対象書類名】明細書
【補正対象項目名】０００９
【補正方法】変更
【補正の内容】
【０００９】
本発明の請求項８の目的は、特に、シャッタ装置に近接し且つ関連して動作するレンズ保持枠の動作に連動して逃げ開口部を開閉することを可能とするレンズ鏡胴を提供することにある。
本発明の請求項９の目的は、特に、シャッタ装置に対する遮光部材の相対移動および移動位置を安定化することを可能とするレンズ鏡胴を提供することにある。
本発明の請求項１０の目的は、特に、シャッタ機構および絞り機構による占有空間が一層狭くさらにコンパクトに構成することを可能とするレンズ鏡胴を提供することにある。
本発明の請求項１１の目的は、レンズ鏡胴における多くの占有空間を必要とすることなく、簡単な構成で、有害な光が撮像素子に到達するのを効果的に防止し得て、耐久性にも優れた遮光構成を達成することを可能とする撮像装置を提供することにある。
【手続補正４】
【補正対象書類名】明細書
【補正対象項目名】００１０
【補正方法】変更
【補正の内容】
【００１０】
請求項１に記載した本発明に係るレンズ鏡胴は、上述した目的を達成するために、
複数のレンズ群の少なくとも一部を沈胴させて当該複数のレンズ群を収納する沈胴状態から前記複数のレンズ群の少なくとも一部を対物側に移動することにより撮像が可能な撮影状態とするレンズ鏡胴であって、
撮像光路を開閉するシャッタ機構を有するシャッタ装置と、
前記複数のレンズ群を構成するレンズおよびレンズ群の少なくともいずれかを保持する少なくとも１つのレンズ保持枠と、
前記シャッタ装置の外形よりも内側の領域に設置されて、前記レンズ保持枠の１つである第１のレンズ保持枠を案内するためのガイド部材と、を備え、且つ
前記シャッタ装置が、前記ガイド部材を挿通可能に形成された第１の逃げ開口部を有し、
光軸とほぼ垂直な面で前記光軸を中心として回転可能に設けられ、前記シャッタ装置の前記第１の逃げ開口部を遮光可能な遮光部材を具備することを特徴としている。
請求項２に記載した本発明に係るレンズ鏡胴は、請求項１のレンズ鏡胴であって、
前記遮光部材が、第２の逃げ開口部を備えることを特徴としている。
【手続補正５】
【補正対象書類名】明細書
【補正対象項目名】００１１
【補正方法】変更
【補正の内容】
【００１１】
請求項３に記載した本発明に係るレンズ鏡胴は、請求項１または請求項２のレンズ鏡胴であって、
前記シャッタ装置の対物側に近接して配置される第２のレンズ保持枠に、前記ガイド部材を挿通可能に形成された第３の逃げ開口部を有してなることを特徴としている。
請求項４に記載した本発明に係るレンズ鏡胴は、請求項１〜請求項３のいずれか１項のレンズ鏡胴であって、
前記遮光部材は、前記撮影状態においては前記シャッタ装置の前記第１の逃げ開口部を遮蔽し、前記撮影状態から前記沈胴状態へ移行する際に回転して、前記シャッタ装置の前記第１の逃げ開口部を開放することを特徴としている。
請求項５に記載した本発明に係るレンズ鏡胴は、請求項２〜請求項４のいずれか１項のレンズ鏡胴であって、
前記沈胴状態においては、前記第２の逃げ開口部は、前記第１の逃げ開口部に対応して位置し、
前記ガイド軸は、前記第１の逃げ開口部および前記第２の逃げ開口部に入り込むことを特徴としている。
【手続補正６】
【補正対象書類名】明細書
【補正対象項目名】００１２
【補正方法】変更
【補正の内容】
【００１２】
請求項６に記載した本発明に係るレンズ鏡胴は、請求項３〜請求項５のいずれか１項のレンズ鏡胴であって、
前記沈胴状態においては、前記第２の逃げ開口部は、前記第１の逃げ開口部および前記第３の逃げ開口部に対応して位置し、
前記ガイド軸は、前記第１の逃げ開口部、前記第２の逃げ開口部、および前記第３の逃げ開口部に入り込むことを特徴としている。
請求項７に記載した本発明に係るレンズ鏡胴は、請求項１〜請求項６のいずれか１項のレンズ鏡胴であって、
前記遮光部材は、平板状の遮光部を含み、
前記シャッタ装置は、前記遮光部材の前記遮光部と係合する係合部を備え、
前記シャッタ装置と前記遮光部材とが、前記光軸方向について一体的に移動することを特徴としている。
請求項８に記載した本発明に係るレンズ鏡胴は、請求項１〜請求項７のいずれか１項のレンズ鏡胴であって、
前記遮光部材は、前記レンズ保持枠を移動させるためのカムを有するカム枠によって回転させられることを特徴としている。
請求項９に記載した本発明に係るレンズ鏡胴は、請求項１〜請求項８のいずれか１項のレンズ鏡胴であって、
前記遮光部材は、前記シャッタ装置と前記遮光部材の間にフリクションを呈すべく少なくとも一部が弾性的に形成されることを特徴としている。
請求項１０に記載した本発明に係るレンズ鏡胴は、請求項１〜請求項９のいずれか１項のレンズ鏡胴であって、
前記シャッタ装置は、前記撮像光路の光束を制限する絞り機構を含むことを特徴としている。
請求項１１に記載した本発明に係る撮像装置は、請求項１〜請求項１０のいずれか１項のレンズ鏡胴を含むことを特徴としている。
【手続補正７】
【補正対象書類名】明細書
【補正対象項目名】００１３
【補正方法】変更
【補正の内容】
【００１３】
本発明によれば、狭い部位に組み込むことが可能で、耐久性にも優れた遮光構成を達成し、有害な光が撮像素子に到達するのを効果的に防止し得るレンズ鏡胴および撮像装置を提供することができる。
すなわち本発明の請求項１のレンズ鏡胴によれば、
複数のレンズ群の少なくとも一部を沈胴させて当該複数のレンズ群を収納する沈胴状態から前記複数のレンズ群の少なくとも一部を対物側に移動することにより撮像が可能な撮影状態とするレンズ鏡胴であって、
撮像光路を開閉するシャッタ機構を有するシャッタ装置と、
前記複数のレンズ群を構成するレンズおよびレンズ群の少なくともいずれかを保持する少なくとも１つのレンズ保持枠と、
前記シャッタ装置の外形よりも内側の領域に設置されて、前記レンズ保持枠の１つである第１のレンズ保持枠を案内するためのガイド部材と、を備え、且つ
前記シャッタ装置が、前記ガイド部材を挿通可能に形成された第１の逃げ開口部を有し、
光軸とほぼ垂直な面で前記光軸を中心として回転可能に設けられ、前記シャッタ装置の前記第１の逃げ開口部を遮光可能な遮光部材を具備することにより、多くの占有空間を必要とすることなく、簡単な構成で、有害な光が撮像素子に到達するのを効果的に防止し得て、耐久性にも優れた遮光構成を達成することが可能となる。
【手続補正８】
【補正対象書類名】明細書
【補正対象項目名】００１４
【補正方法】変更
【補正の内容】
【００１４】
また、本発明の請求項２のレンズ鏡胴によれば、請求項１のレンズ鏡胴において、前記遮光部材に、第２の逃げ開口部を備えることにより、特に、シャッタ装置に形成された第１の逃げ開口部の開閉を効果的に且つ容易に達成することができる。
本発明の請求項３のレンズ鏡胴によれば、請求項１または請求項２のレンズ鏡胴において、前記シャッタ装置の対物側に近接して配置される第２のレンズ保持枠に、前記ガイド部材を挿通可能に形成された第３の逃げ開口部を有してなることにより、特に、シャッタ装置に近接して配置されているレンズ保持枠が存在する場合にも効果的な遮光構成を達成することが可能となる。
本発明の請求項４のレンズ鏡胴によれば、請求項１〜請求項３のいずれか１項のレンズ鏡胴において、前記遮光部材は、前記撮影状態においては前記シャッタ装置の前記第１の逃げ開口部を遮蔽し、前記撮影状態から前記沈胴状態へ移行する際に回転して、前記シャッタ装置の前記第１の逃げ開口部を開放することにより、特に、逃げ開口部の開閉を効果的にしかも容易に達成することができる。
【手続補正９】
【補正対象書類名】明細書
【補正対象項目名】００１５
【補正方法】変更
【補正の内容】
【００１５】
本発明の請求項５のレンズ鏡胴によれば、請求項１〜請求項４のいずれか１項のレンズ鏡胴において、前記沈胴状態においては、前記第２の逃げ開口部は、前記第１の逃げ開口部に対応して位置し、
前記ガイド軸は、前記第１の逃げ開口部および前記第２の逃げ開口部に入り込むことにより、特に、第１の逃げ開口部および第２の逃げ開口部の効果的な遮光を実現することができる。
本発明の請求項６のレンズ鏡胴によれば、請求項１〜請求項５のいずれか１項のレンズ鏡胴において、前記沈胴状態においては、前記第２の逃げ開口部は、前記第１の逃げ開口部および前記第３の開口部に対応して位置し、
前記ガイド軸は、前記第１の逃げ開口部、前記第２の逃げ開口部、および前記第３の開口部に入り込むことにより、特に、第１の逃げ開口部、第２の開口部および第３の逃げ開口部の効果的な遮光を実現することができる。
本発明の請求項７のレンズ鏡胴によれば、請求項１〜請求項６のいずれか１項のレンズ鏡胴において、前記遮光部材は、平板状の遮光部を含み、
前記シャッタ装置は、前記遮光部材の前記遮光部と係合する係合部を備え、
前記シャッタ装置と前記遮光部材とが、前記光軸方向について一体的に移動することにより、特に、シャッタ装置に対する遮光部材の回動および移動を実現することができる。
本発明の請求項８のレンズ鏡胴によれば、請求項１〜請求項７のいずれか１項のレンズ鏡胴において、前記遮光部材は、前記レンズ保持枠を移動させるためのカムを有するカム枠によって回転させられることにより、特に、シャッタ装置に近接し且つ関連して動作するレンズ保持枠の動作に連動して逃げ開口部を開閉することが可能となる。
本発明の請求項９のレンズ鏡胴によれば、請求項１〜請求項８のいずれか１項のレンズ鏡胴において、前記遮光部材は、前記シャッタ装置と前記遮光部材の間にフリクションを呈すべく少なくとも一部が弾性的に形成されることにより、特に、シャッタ装置に対する遮光部材の相対移動および移動位置を安定化することが可能となる。
また、本発明の請求項１０のレンズ鏡胴によれば、請求項１のレンズ鏡胴において、前記シャッタ装置は、前記撮像光路の光束を制限する絞り機構を含むことにより、特に、シャッタ機構および絞り機構による占有空間が一層狭くさらにコンパクトに構成することが可能となる。
また、本発明の請求項１１の撮像装置によれば、撮像用光学系として、請求項１〜請求項１０のいずれか１項のレンズ鏡胴を含むことにより、レンズ鏡胴における多くの占有空間を必要とすることなく、簡単な構成で、有害な光が撮像素子に到達するのを効果的に防止し得て、耐久性にも優れた遮光構成を達成することが可能となる。